【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
予測ブロック単位でイントラ予測モードに関する情報を復号して、変換ブロック単位で輝度信号と色差信号とを含む画像信号をイントラ予測を用いて復号する画像復号装置であって、
輝度信号の予測ブロックのイントラ予測方法を示すイントラ輝度予測モードに関する情報が符号化された符号化ストリームから、輝度信号のイントラ予測モードに関するシンタックス要素を復号し、輝度信号のイントラ予測モードを導出するイントラ輝度予測モード復号部と、
色差信号の予測ブロックのイントラ予測方法を示すイントラ色差予測モードに関する情報が符号化された符号化ストリームから、色差信号のイントラ色差予測モードに関するシンタックス要素を復号し、前記イントラ輝度予測モードも参照して、第１イントラ色差予測モードを導出するイントラ色差予測モード復号部と、
前記輝度信号の予測ブロック毎に特定されたイントラ輝度予測モードに応じて、輝度信号の変換ブロックの周囲の輝度信号から前記輝度信号の変換ブロックの輝度信号を予測する輝度信号イントラ予測部と、
前記色差信号の予測ブロック毎に特定されたイントラ色差予測モードに応じて、色差信号の変換ブロックの周囲の色差信号から前記色差信号の変換ブロックの色差信号を予測する色差信号イントラ予測部とを備え、
前記イントラ色差予測モード復号部は、前記輝度信号と前記色差信号の画素のアスペクト比が異なる場合、前記アスペクト比が同じ場合に使用する第１イントラ色差予測モードのモード番号を変換して、前記アスペクト比が異なる場合に使用する第２イントラ色差予測モードを導出することを特徴とする画像復号装置。
【請求項２】
予測ブロック単位でイントラ予測モードに関する情報を復号して、変換ブロック単位で輝度信号と色差信号とを含む画像信号をイントラ予測を用いて復号する画像復号方法であって、
輝度信号の予測ブロックのイントラ予測方法を示すイントラ輝度予測モードに関する情報が符号化された符号化ストリームから、輝度信号のイントラ予測モードに関するシンタックス要素を復号し、輝度信号のイントラ予測モードを導出するイントラ輝度予測モード復号ステップと、
色差信号の予測ブロックのイントラ予測方法を示すイントラ色差予測モードに関する情報が符号化された符号化ストリームから、色差信号のイントラ色差予測モードに関するシンタックス要素を復号し、前記イントラ輝度予測モードも参照して、第１イントラ色差予測モードを導出するイントラ色差予測モード復号ステップと、
前記輝度信号の予測ブロック毎に特定されたイントラ輝度予測モードに応じて、輝度信号の変換ブロックの周囲の輝度信号から前記輝度信号の変換ブロックの輝度信号を予測する輝度信号イントラ予測ステップと、
前記色差信号の予測ブロック毎に特定されたイントラ色差予測モードに応じて、色差信号の変換ブロックの周囲の色差信号から前記色差信号の変換ブロックの色差信号を予測する色差信号イントラ予測ステップとを有し、
前記イントラ色差予測モード復号ステップは、前記輝度信号と前記色差信号の画素のアスペクト比が異なる場合、前記アスペクト比が同じ場合に使用する第１イントラ色差予測モードのモード番号を変換して、前記アスペクト比が異なる場合に使用する第２イントラ色差予測モードを導出することを特徴とする画像復号方法。
【請求項３】
予測ブロック単位でイントラ予測モードに関する情報を復号して、変換ブロック単位で輝度信号と色差信号とを含む画像信号をイントラ予測を用いて復号する画像復号プログラムであって、
輝度信号の予測ブロックのイントラ予測方法を示すイントラ輝度予測モードに関する情報が符号化された符号化ストリームから、輝度信号のイントラ予測モードに関するシンタックス要素を復号し、輝度信号のイントラ予測モードを導出するイントラ輝度予測モード復号ステップと、
色差信号の予測ブロックのイントラ予測方法を示すイントラ色差予測モードに関する情報が符号化された符号化ストリームから、色差信号のイントラ色差予測モードに関するシンタックス要素を復号し、前記イントラ輝度予測モードも参照して、第１イントラ色差予測モードを導出するイントラ色差予測モード復号ステップと、
前記輝度信号の予測ブロック毎に特定されたイントラ輝度予測モードに応じて、輝度信号の変換ブロックの周囲の輝度信号から前記輝度信号の変換ブロックの輝度信号を予測する輝度信号イントラ予測ステップと、
前記色差信号の予測ブロック毎に特定されたイントラ色差予測モードに応じて、色差信号の変換ブロックの周囲の色差信号から前記色差信号の変換ブロックの色差信号を予測する色差信号イントラ予測ステップとをコンピュータに実行させ、
前記イントラ色差予測モード復号ステップは、前記輝度信号と前記色差信号の画素のアスペクト比が異なる場合、前記アスペクト比が同じ場合に使用する第１イントラ色差予測モードのモード番号を変換して、前記アスペクト比が異なる場合に使用する第２イントラ色差予測モードを導出することを特徴とする画像復号プログラム。
【手続補正２】
【補正対象書類名】明細書
【補正対象項目名】００１６
【補正方法】変更
【補正の内容】
【００１６】
上記課題を解決するために、本発明のある態様の画像復号装置は、予測ブロック単位でイントラ予測モードに関する情報を復号して、変換ブロック単位で輝度信号と色差信号とを含む画像信号をイントラ予測を用いて復号する画像復号装置であって、輝度信号の予測ブロックのイントラ予測方法を示すイントラ輝度予測モードに関する情報が符号化された符号化ストリームから、輝度信号のイントラ予測モードに関するシンタックス要素を復号し、輝度信号のイントラ予測モードを導出するイントラ輝度予測モード復号部（２２２、２２４）と、色差信号の予測ブロックのイントラ予測方法を示すイントラ色差予測モードに関する情報が符号化された符号化ストリームから、色差信号のイントラ色差予測モードに関するシンタックス要素を復号し、前記イントラ輝度予測モードも参照して、第１イントラ色差予測モードを導出するイントラ色差予測モード復号部（２２２、２２５）と、前記輝度信号の予測ブロック毎に特定されたイントラ輝度予測モードに応じて、輝度信号の変換ブロックの周囲の輝度信号から前記輝度信号の変換ブロックの輝度信号を予測する輝度信号イントラ予測部（２０６）と、前記色差信号の予測ブロック毎に特定されたイントラ色差予測モードに応じて、色差信号の変換ブロックの周囲の色差信号から前記色差信号の変換ブロックの色差信号を予測する色差信号イントラ予測部（２０６）とを備える。前記イントラ色差予測モード復号部（２２２、２２５）は、前記輝度信号と前記色差信号の画素のアスペクト比が異なる場合、前記アスペクト比が同じ場合に使用する第１イントラ色差予測モードのモード番号を変換して、前記アスペクト比が異なる場合に使用する第２イントラ色差予測モードを導出する。
【手続補正３】
【補正対象書類名】明細書
【補正対象項目名】００１７
【補正方法】変更
【補正の内容】
【００１７】
本発明の別の態様は、画像復号方法である。この方法は、予測ブロック単位でイントラ予測モードに関する情報を復号して、変換ブロック単位で輝度信号と色差信号とを含む画像信号をイントラ予測を用いて復号する画像復号方法であって、輝度信号の予測ブロックのイントラ予測方法を示すイントラ輝度予測モードに関する情報が符号化された符号化ストリームから、輝度信号のイントラ予測モードに関するシンタックス要素を復号し、輝度信号のイントラ予測モードを導出するイントラ輝度予測モード復号ステップと、色差信号の予測ブロックのイントラ予測方法を示すイントラ色差予測モードに関する情報が符号化された符号化ストリームから、色差信号のイントラ色差予測モードに関するシンタックス要素を復号し、前記イントラ輝度予測モードも参照して、第１イントラ色差予測モードを導出するイントラ色差予測モード復号ステップと、前記輝度信号の予測ブロック毎に特定されたイントラ輝度予測モードに応じて、輝度信号の変換ブロックの周囲の輝度信号から前記輝度信号の変換ブロックの輝度信号を予測する輝度信号イントラ予測ステップと、前記色差信号の予測ブロック毎に特定されたイントラ色差予測モードに応じて、色差信号の変換ブロックの周囲の色差信号から前記色差信号の変換ブロックの色差信号を予測する色差信号イントラ予測ステップとを備える。前記イントラ色差予測モードステップは、前記輝度信号と前記色差信号の画素のアスペクト比が異なる場合、前記アスペクト比が同じ場合に使用する第１イントラ色差予測モードのモード番号を変換して、前記アスペクト比が異なる場合に使用する第２イントラ色差予測モードを導出する。